(57)【要約】【課題】  本発明は、添付品の取り出し及び収納を容易に行い得るようにする。【解決手段】  本発明は、背面板２０の一部分が切り込まれた内蓋３０が台紙部３の内部へ折り込まれることにより形成された孔部２０Ｃを介して、当該内蓋３０を案内板として取扱説明書６を取り出させ又は収納させ、収納時には当該内蓋３０と周辺部２０Ｆとの間に当該取扱説明書６の右端付近を挟み込み、さらに外蓋１６によって覆うことにより、当該取扱説明書６を容易に当該包装ケース１内に収納させて当該取扱説明書６の意図しない脱落を防止できると共に、当該包装ケース１から外部へ容易に取り出させることができる。【選択図】        図１０
2007069924.tif 000002
【特許請求の範囲】
【請求項１】
所定の物品を収納するための収納空間が設けられた包装ケースであって、
上記収納空間を形成する外装面に対して所定形状に切り込まれ、上記包装ケースの内側へ押し込まれるように形成された切込片と、
上記外装面における上記切込片の周辺に位置し、上記収納空間の内部へ押し込まれることのない非押込部と
を具え、
上記切込片が上記物品に対する所定の添付品を上記収納空間に収納する際の案内部となり、かつ上記非押込部との間に上記添付品を挟み込むための保持部となる
ことを特徴とする包装ケース。
【請求項２】
所定の物品を収納するための収納空間に対応した形状の包装部及び当該包装部と組み合わされる底部とから構成される包装ケースであって、
上記底部に対して所定形状に切り込まれ、上記収納空間の内部へ押し込まれるように形成された切込片と、
上記底部における上記切込片の周辺に位置し、上記収納空間の内部へ押し込まれることのない非押込部と、
上記包装部と上記底部とが組み合わされる際に用いられる当該包装部に設けられた取付片と
を具え、
上記切込片が上記物品に対する所定の添付品を上記収納空間に収納する際の案内部となり、かつ上記切込片が上記非押込部との間に上記添付品を挟み込むための保持部となると共に、上記包装部の上記取付片が上記収納空間からの上記添付品の排出を防ぐように上記添付品を抑える抑止部となる
ことを特徴とする包装ケース。
【請求項３】
上記取付片は、
上記抑止部となることに加えて、上記添付品を覆う蓋部となる
ことを特徴とする請求項２に記載の包装ケース。
【請求項４】
上記非押込部には、
上記取付片が上記底部よりも上記包装ケースの内部側に沈み込むことを防止するために上記収納空間の入り口に所定形状の沈込防止片が設けられている
ことを特徴とする請求項２に記載の包装ケース。
【請求項５】
上記切込片は、
上記包装ケース内の上記収納空間に予め収納された上記物品に対する他の添付品が
当該包装ケースの外部へ排出されることを防ぐ排出防止部となる
ことを特徴とする請求項２に記載の包装ケース。
【請求項６】
上記添付品が上記切込片と上記非押込部との間に挟み込まれ、上記収納空間内に上記収納される方向へ所定長さだけ収納されたときに、当該添付品の先端と当接することにより、上記添付品が上記収納される方向へさらに押し込まれることを防止する押込防止板と
を具えることを特徴とする請求項２に記載の包装ケース。
【発明の詳細な説明】
【技術分野】
【０００１】
本発明は包装ケースに関し、例えば小型の電子機器やアクセサリー部品などを収納した状態で店頭に陳列される包装ケースに適用して好適なものである。
【背景技術】
【０００２】
従来、物品の販売時に用いられる包装ケースとして、紙製の台紙部と透明な樹脂製の透明カバー部とを組み合わせたものが広く利用されている。このような包装ケースでは、透明カバー部を介して収納した商品を購入者に視覚的に確認させると共に、当該商品の説明や注意等を台紙部に記載できるようになされている（例えば、特許文献１参照）。
【０００３】
ところで、一般に電子機器等には、１年間や３年間等の保証期間が設定されることが多く、このような場合、保証規定等が記載された保証書が添付されている。この保証書は、電子機器等が販売される際に、店頭で販売店の印が押印されると共に販売日が記載されるようになされている。
【０００４】
このため包装ケースのなかには、予め保証書を透明カバー部と台紙部との隙間に挟んでおくようになされたものがある。これにより包装ケースは、わざわざ開梱させることなく保証書を容易に取り出させ得ると共に、押印後に再度当該保証書を当該包装ケース内に容易に収納させ得るため、店頭等において当該保証書に関する作業を軽減させることができる。
【特許文献１】特開平９−３２８１６３公報（第１図）
【発明の開示】
【発明が解決しようとする課題】
【０００５】
ところで、電子機器等の商品においては、コストダウンの観点等から、保証書が独立した紙片ではなく取扱説明書の一部に印刷されている場合がある。
【０００６】
ここで、電子機器等の取扱説明書は、一般に記載量が多いためにＡ３サイズ等の大きい紙が折り畳まれたり、又は冊子になっていることが多い。このような場合、包装ケースでは、取扱説明書がある程度の厚みを有するため、従来の「透明カバー部と台紙部との隙間に挟んでおく」といった手法を利用することができなくなってしまう。
【０００７】
このため包装ケースでは、電子機器等の販売時に、当該包装ケースを開梱して取扱説明書（すなわち添付品）を取り出させ、保証書部分に押印後、当該取扱説明書を収納させて当該包装ケースを再度組み立てさせるといった手間を要してしまうという問題があった。
【０００８】
本発明は以上の点を考慮してなされたもので、添付品の取り出し及び収納を容易に行い得る包装ケースを提案しようとするものである。
【課題を解決するための手段】
【０００９】
かかる課題を解決するため本発明の包装ケースにおいては、所定の物品を収納するための収納空間が設けられた包装ケースであって、収納空間を形成する外装面に対して所定形状に切り込まれ、包装ケースの内側へ押し込まれるように形成された切込片と、外装面における切込片の周辺に位置し、収納空間の内部へ押し込まれることのない非押込部とを設け、切込片が物品に対する所定の添付品を収納空間に収納する際の案内部となり、かつ非押込部との間に添付品を挟み込むための保持部となるようにした。
【００１０】
案内部としての切込片に沿って添付品を摺動させることにより当該添付品を包装ケースの外部へ容易に取り出させ得ると共に、保持部としての切込片と非押込部との間に当該添付品を挟み込んだ状態で保持させることができる。
【００１１】
また本発明の包装ケースにおいては、所定の物品を収納するための収納空間に対応した形状の包装部及び当該包装部と組み合わされる底部とから構成される包装ケースであって、底部に対して所定形状に切り込まれ、収納空間の内部へ押し込まれるように形成された切込片と、底部における切込片の周辺に位置し、収納空間の内部へ押し込まれることのない非押込部と、包装部と底部とが組み合わされる際に用いられる当該包装部に設けられた取付片とを設け、切込片が物品に対する所定の添付品を収納空間に収納する際の案内部となり、かつ切込片が非押込部との間に添付品を挟み込むための保持部となると共に、包装部の取付片が収納空間からの添付品の排出を防ぐように添付品を抑える抑止部となるようにした。
【００１２】
案内部としての切込片に沿って添付品を摺動させることにより当該添付品を包装ケースの外部へ容易に取り出させ得ると共に、保持部としての切込片と非押込部との間に当該添付品を挟み込んだ状態で保持させることができ、このとき抑止部としての取付片により添付品の排出を防止させることができる。
【発明の効果】
【００１３】
本発明によれば、案内部としての切込片に沿って添付品を摺動させることにより当該添付品を包装ケースの外部へ容易に取り出させ得ると共に、保持部としての切込片と非押込部との間に当該添付品を挟み込んだ状態で保持させることができ、かくして添付品の取り出し及び収納を容易に行い得る包装ケースを実現できる。
【００１４】
また本発明によれば、案内部としての切込片に沿って添付品を摺動させることにより当該添付品を包装ケースの外部へ容易に取り出させ得ると共に、保持部としての切込片と非押込部との間に当該添付品を挟み込んだ状態で保持させることができ、このとき抑止部としての取付片により添付品の排出を防止させることができ、かくして添付品の取り出し及び収納を容易に行い得る包装ケースを実現できる。
【発明を実施するための最良の形態】
【００１５】
以下、図面について、本発明の一実施の形態を詳述する。
【００１６】
（１）第１の実施の形態
（１−１）外観構成
図１及び図２において、包装ケース１は、物品としてのマウス５に加えて添付品としての取扱説明書６や図示しない付属品等を内部に収納し得るようになされ、当該マウス５が店頭で販売される際の取り扱いを容易化し得るようになされている。
【００１７】
包装ケース１は、ポリスチレン樹脂が成型されてなる透明カバー部２とボール紙が組み立てられてなる台紙部３との組み合わせにより構成されており、販売店の店頭において、当該透明カバー部２を介して当該マウス５の形状や色等を購入者に目視確認させ得ると共に、台紙３に記載した対応機種等の説明や注意事項を購入者に読ませ得るようになされている。
【００１８】
ちなみに取扱説明書６は、Ａ３サイズの１枚の紙が折り畳まれており、所定の厚さを有すると共に、その一部に保証書が印刷されており、マウス５が販売店で販売されたときに、販売員によって包装ケース１から取り出され、当該保証書に販売店の印が押印され日付が記入されるようになされている。
【００１９】
以下では、吊り下げ用フック穴４を介して包装ケース１が図示しない吊り下げ用フックに貫通され吊り下げられた状態で透明カバー部２を介してマウス５を正視できる面（以下、この面を正面と呼ぶ）に購入者が対峙した状態で上方向、下方向、左方向及び右方向を定義した上で説明する。
【００２０】
（１−２）透明カバー部の構成
図３（Ａ）〜（Ｃ）に示すように、透明カバー部２は、平板状のポリスチレン樹脂が真空成型されてなり、台紙部３の形状に合わせて成型された浅いトレー状でなるベース部１０のほぼ中央部分にマウス５（図１）の形状に合わせたマウス収納部１１が設けられている。
【００２１】
ベース部１０の右側部には、台紙部３（図１及び図２）と係合するための平板状の係合爪１２及び１３が折曲軸１４及び１５を介して設けられている。当該折曲軸１４及び１５は、係合爪１２及び１３の上側のみに設けられ、下側には切欠１２Ａ及び１３Ａが設けられている。
【００２２】
一方ベース部１０の左側部には、略矩形平板状の外蓋１６が折曲軸１７を介して設けられている。外蓋１６には、折曲軸１７と反対側（すなわち先端側）の上側及び下側に半円状の係止舌部１６Ａ及び１６Ｂが設けられ、さらに当該外蓋１６を上下方向に補強するための補強リブ１６Ｃが設けられている。
【００２３】
また、透明カバー部２が可撓性を有するポリスチレン樹脂でなるため、係合爪１２、１３及び外蓋１６は、図２（Ａ）に示したように、それぞれ折曲軸１４、１５及び１７を中心に内側へ折り曲げ得ると共に再度図２（Ｂ）に示した外側へ広げた状態にも復元し得るようになされている。
【００２４】
（１−３）台紙部の構成
図４に示すように、台紙部３は、組立前の段階では所定形状に切り込まれた平板状となっており、後述する組立手順に従って各部が折り曲げられることにより、内部に空間を有する立体的な形状となるようになされている。
【００２５】
ちなみに図４は、台紙部３が組み立てられた際に外側に露出する面から見た状態を示している。
【００２６】
台紙部３は、背面板２０を中心に構成されており、背面板２０の左側には、折り目（図中破線で示す、以下同じ）を介して長方形状の左側柱部前面板２１が設けられ、さらに折り目を介して長方形の一部が切り欠かれた形状でなる左側柱部内面板２２が設けられている。また左側柱部前面板２１の上側には、折り目を介して三角形状の左側柱部上面板２１Ａが設けられ、左側柱部内面板２２の上部左側及び下部には、それぞれ折り目を介して舌部２２Ａ及び２２Ｂが設けられている。
【００２７】
また背面板２０の右側には、左側柱部前面板２１、左側柱部上面板２１Ａ、左側柱部内面板２２、舌部２２Ａ及び２２Ｂとそれぞれ左右対称構成でなる右側柱部前面板２３、右側柱部上面板２３Ａ、右側柱部内面板２４、舌部２４Ａ及び２４Ｂが設けられている。
【００２８】
ここで台紙部３は、図５（Ａ）に示す組立手順に従い、背面板２０に対して左側柱部前面板２１、左側柱部上面板２１Ａ、左側柱部内面板２２、舌部２２Ａ及び２２Ｂが各折り目に沿ってそれぞれ折り曲げられることにより、図５（Ｂ）に示すように略三角柱状でなる左側柱部３Ａを形成する。
【００２９】
同様に台紙部３は、図５（Ａ）に示した組立手順に従い、背面板２０に対して右側柱部前面板２３、右側柱部上面板２３Ａ、右側柱部内面板２４、舌部２４Ａ及び２４Ｂが各折り目に沿ってそれぞれ折り曲げられることにより、図５（Ｂ）に示したように略三角柱状でなる右側柱部３Ｂを形成する。
【００３０】
ちなみに図５（Ａ）は、図４と反対に、台紙部３が組み立てられた際に内側に折り込まれる面から見た状態を示している。また台紙部３は、実際上、他の添付品としての付属品８が予めセットされ、当該付属品８を周囲から覆っていくように組み立てられることになる。この付属品８は、上述した保証書に販売店の印を押印し日付を記入する際には不必要なものである。
【００３１】
背面板２０（図４）の下側には、折り目を介して略台形状の底面板２５が設けられ、さらに折り目を介して長方形状の底部前面板２６が設けられ、さらにその先に略長方形状の底部上面板２７が設けられている。当該底部前面板２６の左右には、それぞれ長方形状の底部左側板２６Ａ及び底部右側板２６Ｂが設けられている。
【００３２】
これにより台紙部３は、図５（Ａ）に示した組立手順に従い、背面板２０に対して底面板２５、底部前面板２６、底部左側板２６Ａ、底部右側板２６Ｂ及び底部上面板２７が各折り目に沿ってそれぞれ折り曲げられることにより、図５（Ｂ）に示したように略直方体状でなる底部３Ｃを形成する。
【００３３】
さらに背面板２０（図４）の上側には、折り目を介して中央部前面板２８が設けられている。中央部前面板２８の左右には、長方形の一部が所定形状に切り欠かれた左右対称の中央部左側板２８Ａ及び中央部右側板２８Ｂが折り目を介してそれぞれ設けられており、また当該中央部前面板２８の上側（図４の場合）には、折り目を介して中央部底面板２８Ｃが設けられている。
【００３４】
このため台紙部３は、図５（Ａ）に示した組立手順に従い、背面板２０に対して中央部前面板２８、中央部左側板２８Ａ、中央部右側板２８Ｂ及び中央部底面板２８Ｃが各折り目に沿ってそれぞれ折り曲げられることにより、図５（Ｂ）に示したように上側から下側に向かって徐々に厚みを増す扁平な楔状でなる中央部３Ｄを形成する。
【００３５】
かかる構成に加えて、背面板２０（図４）の右側下部には、右側を残して略コ字状に切り込まれることにより内蓋３０が形成されている。また背面板２０には、当該背面板２０における内蓋３０の周辺部分である周辺部２０Ｆのうち、内蓋３０の左側中央部付近の位置から右方向へ突出した略半円状の突出部２０Ｂが設けられている。このため内蓋３０は、左側中央部付近が当該突出部２０Ｂと対応するように半円状に窪んだ形状となっている。
【００３６】
ここで図６に示すように、中央部３Ｄの内部は、左側柱部内面板２２及び右側柱部内面板２４にそれぞれ切欠部２２Ｃ及び２４Ｃが設けられていることにより、左側柱部３Ａ及び右側柱部３Ｂの内部と接続されるようになされている。以下では、切欠部２２Ｃ及び２４Ｃを介して接続された中央部３Ｄの内部、左側柱部３Ａ及び右側柱部３Ｂの内部を一体として収納部３Ｅとする。
【００３７】
また背面板２０は、内蓋３０が台紙部３の内部へ押し込まれることにより形成された孔部２０Ｃにより、台紙部３の背面側外部と収納部３Ｅの内部とを結ぶようになされている。
【００３８】
ちなみに内蓋３０（すなわち孔部２０Ｃ）の上下方向の長さは、取扱説明書６（図２）の上下方向の長さよりも若干長くなるように設計されている。また収納部３Ｅの左右方向の幅（すなわち台紙部３の左右方向の長さ）は、取扱説明書６の左右方向の長さよりも所定長さだけ長くなるよう設計されている。
【００３９】
また台紙部３は、底部上面板２７及び中央部底面板２８Ｃによって収納部３Ｅの下側を区切っているため、包装ケース１として組み立てられた後、吊り下げ用フック穴４を介して吊り下げ用フック（図示せず）に貫通され吊り下げられたときに、当該収納部３Ｅに収納された収納物を底部３Ｃ内に落下させず当該収納部３Ｅ内に保持し得るようになされている。
【００４０】
（１−４）台紙部と透明カバー部との係合
ところで台紙部３は、図５（Ｂ）に示した立体的な形状に組み立てられた後、図７に示すように、包装ケース１（図１及び図２）として組み上げられる過程において、透明カバー部２と係合されるようになされている。
【００４１】
この場合、台紙部３は、透明カバー部２のマウス収納部１１にマウス５が収納された状態で、当該透明カバー部２の係合爪１２及び１３が背面板２０の左辺に設けられた切込部２０Ｄ及び２０Ｅに差し込まれて下方向にスライドされる。
【００４２】
この結果、台紙部３は、背面板２０の左辺を回転軸として回転自在に透明カバー部２の左側と係合される（以下、これを片係合状態と呼ぶ）。
【００４３】
ちなみに台紙部３は、この状態からさらに透明カバー部２の外蓋１６が孔部２０Ｃに係止されることにより（詳しくは後述する）、当該台紙部３に対して透明カバー部２が固定されるようになされている。
【００４４】
（１−５）取扱説明書の収納
ところで包装ケース１は、図２に示したように、台紙部３の収納部３Ｅ（図６）に取扱説明書６が収納されることにより、包装ケース１として完成した状態、すなわち実際に商品として販売店で販売可能な状態となるようになされており、ここでは当該収納部３Ｅに当該取扱説明書６が収納される様子について説明する。
【００４５】
まず図８（Ａ）に示すように、包装ケース１は、係合爪１２及び１３により台紙部３に透明カバー部２が係合された片係合状態において外蓋１６が開かれる。このとき図８（Ｂ）に示すように、内蓋３０は、包装ケース１の内部に押し込まれ、中央部前面板２８との間に付属品８を挟んでいる。
【００４６】
次に図９（Ａ）に示すように、包装ケース１は、取扱説明書６の左側端部から孔部２０Ｃに差し込まれ、収納部３Ｅ内へ順次挿入されていく。
【００４７】
このとき図９（Ｂ）に示すように、内蓋３０は、取扱説明書６が挿入される力により撓んで右側柱部内面板２４の切欠部２４Ｃ及び中央部右側板２８Ｂに押し付けられており、このとき案内板として機能することにより、当該取扱説明書６を当該内蓋３０に摺動させながら収納部３Ｅへ挿入させる。
【００４８】
続いて図１０（Ａ）に示すように、包装ケース１は、取扱説明書６の左側端部が収納部３Ｅ内の左側柱部前面板２１に当接するまで挿入され、当該取扱説明書６の右側端部付近のみが孔部２０Ｃを介して背面側から目視され得る状態となる。
【００４９】
このとき図１０（Ｂ）に示すように、内蓋３０は、復元力の作用により、取扱説明書６の右側端部を背面方向へ軽く押し上げ、背面板２０における内蓋３０の周辺部分である周辺部２０Ｆとの間に当該取扱説明書６を挟んで保持するようになされている。
【００５０】
さらに包装ケース１は、図１０（Ａ）の状態から外蓋１６が孔部２０Ｃを覆うように閉じられて係止舌部１６Ａ及び１６Ｂが当該孔部２０Ｃを介して周辺部２０Ｆの下側に差し込まれることにより、図２に示したように、当該外蓋１６により取扱説明書６を抑え、当該外蓋１６と内蓋３０との間に当該取扱説明書６を挟んだ状態で当該外蓋１６が背面版２０に係止される。同時に包装ケース１は、当該外蓋１６によって台紙部３と透明カバー部２とを一体化させることにより、当該包装ケース１の左右両側が係合された両係合状態となる。
【００５１】
この場合、外蓋１６は、取扱説明書６の取り出し方向である右側から孔部２０Ｃを覆うため、当該取扱説明書６が包装ケース１の外部へ飛び出たり排出されたりすることを確実に防止することができる。
【００５２】
このとき図１１に示すように、内蓋３０は、正面方向にやや湾曲することにより、外蓋１６から取扱説明書６の右側端部を介して正面方向に加えられる力を受け止めるようになされている。
【００５３】
このように包装ケース１は、取扱説明書６が挿入されるときには内蓋３０が案内板として機能することにより当該取扱説明書６をスムーズに収納部３Ｅ内に挿入させると共に、
当該取扱説明書６が収納部３Ｅに収納されたときには、内蓋３０と周辺部２０Ｆとの間に当該取扱説明書６を挟み込み、さらに上蓋１６により当該取扱説明書６を抑えて脱落を防止するようになされている。
【００５４】
（１−６）取扱説明書の取出
ところで、マウス５が包装ケース１に収納され商品として販売店で販売された場合、上述したように取扱説明書６が取り出され、当該取扱説明書６に印刷された保証書に販売店の印が押印され日付が記入される。
【００５５】
この場合、包装ケース１は、上述した取扱説明書６の収納手順が逆順に実行されることにより、当該取扱説明書６が取り出されるようになされている。
【００５６】
このとき包装ケース１は、図２に示したように外蓋１６が係止された状態において、背面板２０に突出部２０Ｂが設けられていることにより、当該外蓋１６の端部１６Ｄが孔部２０Ｃ内に落ち込むこと無く当該背面板２０からやや浮き上がった状態となる。このため包装ケース１は、外蓋１６が開かれる際、当該端部１６Ｄに指先等を容易に引っかけさせることができ、当該外蓋１６を容易に開かせて係止状態を解除させることができる。
【００５７】
また内蓋３０は、図１０（Ｂ）に示した状態から取扱説明書６が右方向へ引き抜かれるとき、案内板として機能することにより、当該取扱説明書６の右側端部を当該内蓋３０に摺動させながら、孔部２０Ｃの外側へスムーズに取り出させることができる。
【００５８】
このように包装ケース１は、外蓋１６及び内蓋３０を設けたことにより、取扱説明書６の取出作業を簡素化すると共に短時間で完了させることができる。
【００５９】
（１−７）動作及び効果
以上の構成において、包装ケース１は、台紙部３における背面板２０の一部分が略コ字状に切り込まれることにより内蓋３０が設けられ、当該内蓋３０が当該台紙部３の内部へ押し込まれることにより形成された孔部２０Ｃを介して、取扱説明書６が収納部３Ｅ内に挿入される。
【００６０】
このとき包装ケース１は、内蓋３０を案内板として機能させ、取扱説明書６を当該内蓋３０に摺動させながら当該取扱説明書６を収納部３Ｅ内に収納させ、また当該取扱説明書６を当該内蓋３０に摺動させながら当該収納部３Ｅ内から外部へ取り出させる。
【００６１】
従って包装ケース１は、孔部２０Ｃを介して内蓋３０を案内板としながら、取扱説明書６を容易に収納部３Ｅ内に収納させ、また当該包装ケース１から外部へ容易に取り出させることができる。
【００６２】
これにより包装ケース１は、取扱説明書６の取出又は収納のために開梱されたり分解されたりする必要がなく、当該取扱説明書６の取出又は収納に要する作業量を大幅に削減し、作業時間を格段に短縮させることができる。
【００６３】
また包装ケース１は、取扱説明書６が収納された場合、当該内蓋３０と周辺部２０Ｆとの間に当該取扱説明書６の右端付近を挟み込むことにより、当該取扱説明書６を容易に取り出しやすい状態に維持することができる。
【００６４】
さらに包装ケース１は、外蓋１６が背面板２０に係止されることにより、当該外蓋１６によって取扱説明書６を抑えることができ、当該取扱説明書６が飛び出たり脱落したりすることを防止することができる。
【００６５】
特に包装ケース１は、外蓋１６が取扱説明書６の取り出し方向である右側から孔部２０Ｃを覆うため、当該外蓋１６が背面板２０に係止され閉じた状態であるとき、当該取扱説明書６の取出経路上に当該外蓋１６と当該背面板２０との間の隙間を生じることがないため、当該取扱説明書６が当該包装ケース１の外部へ飛び出たり排出されたりすることを確実に防止することができる。
【００６６】
そのうえ包装ケース１は、突出部２０Ｂ（図２）の存在により外蓋１６の端部１６Ｄを背面板２０よりも沈み込ませることがないため、当該端部１６Ｄに指先等を容易に引っかけさせることができ、当該外蓋１６を容易に開かせて係止状態を短時間で解除させることができる。
【００６７】
さらに包装ケース１は、外蓋１６が背面板２０に係止されることにより台紙部３と透明カバー部２とを一体化させているため、他に包装ケース１の右側面に当該台紙部３と当該透明カバー部２とを係合させるための係合片等を設ける必要が無く、また購入後にマウス５が取り出される際、当該外蓋１６の係止状態を解除させるだけで片係合状態として台紙部３から透明カバー部２を開かせることができ、当該マウス５を短時間で容易に取り出させることができる。
【００６８】
また包装ケース１は、底部上面板２７及び中央部底面板２８Ｃによって収納部３Ｅの下側が区切られているため、吊り下げ用フック穴４を介して吊り下げ用フック（図示せず）に貫通され吊り下げられたときに、当該収納部３Ｅに収納された収納物を底部３Ｃ内に落下させず当該収納部３Ｅ内に保持することができる。
【００６９】
そのうえ包装ケース１は、収納部３Ｅの左右方向の幅、すなわち台紙部３の左右方向の長さが取扱説明書６の左右方向の長さよりも所定長さだけ長くなるよう予め設計されているため、当該取扱説明書６が収納部３Ｅに完全に入り込んで孔部２０Ｃから取り出せなくなることを未然に防止できる。
【００７０】
また内蓋３０は、包装ケース１内部に止めておきたい付属品８を中央部前面板２８との間に挟むことにより、取扱説明書６が取り出される際に、当該付属品８が一緒に取り出されてしまうことを確実に防止することができ、また取扱説明書６の収納時に当該付属品８と干渉して収納できなくなることを未然に防止することができる。
【００７１】
これにより、販売店の店頭で保証書への記載時に、必要な取扱説明書６のみを確実に取り出させ、また確実に収納させることができ、不必要な添付品が誤って取り出されることに伴う作業量の増加を未然に防止することができる。
【００７２】
以上の構成によれば、包装ケース１は、背面板２０の一部分が切り込まれた内蓋３０が台紙部３の内部へ折り込まれることにより形成された孔部２０Ｃを介して、当該内蓋３０を案内板として取扱説明書６を取り出させ又は収納させ、収納時には当該内蓋３０と周辺部２０Ｆとの間に当該取扱説明書６の右端付近を挟み込み、さらに外蓋１６によって覆うことにより、当該取扱説明書６を容易に当該包装ケース１内に収納させて当該取扱説明書６の意図しない脱落を防止できると共に、当該包装ケース１から外部へ容易に取り出させることができる。
【００７３】
（２）第２の実施の形態
（２−１）外観構成
図１及び図２との対応箇所に同一符号を付して示す図１２及び図１３において、包装ケース５０は、無線方式に対応したマウス５５に加えてレシーバ５６、延長ケーブル５７、電池５８や取扱説明書６等を内部に収納し得るようになされ、包装ケース１と同様、当該マウス５５が店頭で販売される際の取り扱いを容易化し得るようになされている。
【００７４】
包装ケース５０は、包装ケース１と同様、透明カバー部２に対応した透明カバー部５２と台紙部３に対応した台紙部５３との組み合わせにより構成されている。
【００７５】
（２−２）台紙部の構成
図４と対応する図１４に示すように、台紙部５３は、組立前の段階では所定形状に切り込まれた平板状となっている。
【００７６】
台紙部５３は、背面板７０を中心に構成されており、背面板７０の左側には、折り目を介して長方形状の左側柱部前面板７１及び左上部前面板７９が設けられ、当該左側柱部前面板７１からさらに折り目を介して長方形の一部が切り欠かれた形状でなる左側柱部内面板７２が設けられている。また左側柱部前面板７１の下部には、折り目を介して舌部７１Ｂが設けられている。
【００７７】
ここで台紙部５３は、図５（Ａ）と対応する図１５（Ａ）に示す組立手順に従い、背面板７０に対して左側柱部前面板７１、舌部７１Ｂ及び左側柱部内面板７２が各折り目に沿ってそれぞれ折り曲げられることにより、図１５（Ｂ）に示すように略三角柱状でなる左側柱部５３Ａを形成する。
【００７８】
また台紙部５３は、台紙部３（図４）と同様、背面板７０（図１４）の右側に折り目を介して右側柱部前面板７３、右側柱部上面板７３Ａ、舌部７３Ｂ、右側柱部内面板７４及び舌部７４Ａが設けられており、図１５（Ａ）に示した組立手順に従いこれらが各折り目に沿ってそれぞれ折り曲げられることにより、図１５（Ｂ）に示したように略三角柱状でなる右側柱部５３Ｂを形成する。
【００７９】
さらに台紙部５３は、台紙部３（図４）と同様、背面板７０（図１４）の下側に折り目を介して底面板７５、底部前面板７６、底部左側板７６Ａ、底部右側板７６Ｂ及び底部上面板７７が設けられており、図１５（Ａ）に示した組立手順に従いこれらが各折り目に沿ってそれぞれ折り曲げられることにより、図１５（Ｂ）に示したように略直方体状でなる底部５３Ｃを形成する。
【００８０】
そのうえ台紙部５３は、台紙部３（図４）と同様、背面板７０（図１４）の上側に折り目を介して中央部前面板７８、中央部左側板７８Ａ、中央部右側板７８Ｂ及び中央部底面板７８Ｃが設けられており、図１５（Ａ）に示した組立手順に従いこれらが各折り目に沿ってそれぞれ折り曲げられることにより、図１５（Ｂ）に示したように上側から下側に向かって徐々に厚みを増す扁平な楔状でなる中央部５３Ｄを形成する。
【００８１】
また台紙部５３の内部には、台紙部３（図６）と同様、中央部５３Ｄの内部、左側柱部５３Ａ及び右側柱部５３Ｂの内部を一体として収納部５３Ｅが形成されている。
【００８２】
かかる構成に加えて、背面板７０（図１４）の中央部には、上側を残して略コ字状に切り込まれることにより内蓋８０が形成されている。当該背面板７０は、当該内蓋８０が台紙部５３の内部へ押し込まれることにより形成された孔部７０Ｃにより、台紙部５３の背面側外部と収納部５３Ｅの内部とを結ぶようになされている。
【００８３】
（２−３）台紙部と透明カバー部との組み立て
ところで台紙部５３は、図１５（Ｂ）に示した立体的な形状に組み立てられた後、図１６に示すように、透明カバー部５２と係合されることにより、包装ケース５０（図１２及び図１３）として組み上げられるようになされている。
【００８４】
この場合、台紙部５３は、透明カバー部５２の対応する箇所にマウス５５、レシーバ５６、延長ケーブル５７及び電池５８等がそれぞれ収納された状態で、ベース部６０内に軽く嵌め込まれる。
【００８５】
続いて台紙部５３は、透明カバー部５２の上側係止舌部６２、左側係止舌部６３、右側係止舌部６４及び左側係止舌部６５がそれぞれ背面板７０に設けられた各切込部に差し込まれることにより、当該透明カバー部５２と一体化して包装ケース５０を形成する。
【００８６】
この状態において包装ケース５０は、包装ケース１（図８〜図１０）と同様、内蓋８０を案内板として、背面板７０の孔部７０Ｃから当該内蓋８０に摺動されるように取扱説明書６が台紙部５３内の収納部５３Ｅに収納される。
【００８７】
ちなみに包装ケース５０は、包装ケース１（図８〜図１０）と異なり、第１の実施の形態における外蓋１６に相当する、孔部７０Ｃを背面側から覆う外蓋を有していない。これは、包装ケース５０において取扱説明書６を取り出す方向が上方向となるため、当該包装ケース５０が販売店において吊り下げ用フック穴５４（図１２及び図１３）を介して吊り下げられたときに、収納部５３Ｅから当該取扱説明書６が脱落する可能性が極めて低いことを考慮したためである。
【００８８】
（２−４）動作及び効果
以上の構成において、包装ケース５０は、包装ケース１と同様、台紙部５３における背面板７０の一部分が略コ字状に切り込まれることにより内蓋８０が設けられ、当該内蓋８０が当該台紙部５３の内部へ押し込まれることにより形成された孔部７０Ｃを介して、取扱説明書６が収納部５３Ｅ内に収納される。
【００８９】
このとき包装ケース５０は、内蓋８０を案内板として機能させることにより、当該内蓋８０に取扱説明書６を摺動させながら当該取扱説明書６を収納部５３Ｅ内に収納させ、又は当該収納部５３Ｅ内から外部へ取り出させる。
【００９０】
従って包装ケース５０は、包装ケース１と同様、孔部７０Ｃを介して内蓋８０を案内板としながら、取扱説明書６を容易に収納部５３Ｅ内に収納させ、また当該包装ケース５０から外部へ容易に取り出させることができる。
【００９１】
これにより包装ケース５０は、取扱説明書６の取出又は収納のために開梱されたり分解されたりする必要がなく、当該取扱説明書６の取出又は収納に要する手間を大幅に削減し、作業時間を格段に短縮させることができる。
【００９２】
また包装ケース５０は、取扱説明書６が収納された場合、背面板７０における内蓋８０の周辺部分でなる周辺部８０Ｆと当該内蓋８０との間に当該取扱説明書６の上端付近を挟み込むことにより、当該取扱説明書６を容易に取り出しやすい状態に維持することができる。
【００９３】
特に包装ケース５０は、包装ケース１における外蓋１６に相当する外蓋を有していないため、当該包装ケース１と比較して、取扱説明書６の取出又は収納に要する手間及び作業時間を一段と削減することができる。
【００９４】
また内蓋８０は、包装ケース５０内部に止めておきたい付属品８を中央部前面板７８との間に挟むことにより、取扱説明書６が取り出される際に、当該付属品８が一緒に取り出されてしまうことを確実に防止することができる。
【００９５】
以上の構成によれば、包装ケース５０は、背面板７０の一部分が切り込まれた内蓋８０が台紙部５３の内部へ折り込まれることにより形成された孔部７０Ｃを介して、当該内蓋８０を案内板として取扱説明書６を取り出させ又は収納させ、収納時には当該内蓋８０と周辺部７０Ｆとの間に当該取扱説明書６の上端付近を挟み込むことにより、当該取扱説明書６を容易に当該包装ケース５０内に収納させ、また当該包装ケース５０から外部へ容易に取り出させることができる。
【００９６】
（３）他の実施の形態
なお上述した第１の実施の形態においては、略平板状で孔部２０Ｃを覆う形状でなる外蓋１６が取扱説明書６を抑えて脱落を防止するようにした場合について述べたが、本発明はこれに限らず、例えばスリットが形成された外蓋や中央に穴が開けられた外蓋等としても良く、要は収納された取扱説明書６を抑えることができる形状であれば良い。
【００９７】
また上述した実施の形態においては、背面板２０（７０）が略コ字状に切り込まれることにより内蓋３０（８０）を略長方形状とするようにした場合について述べたが、本発明はこれに限らず、当該内蓋３０（８０）を略台形状や略半円状等の種々の形状とするようにしても良い。この場合、取扱説明書６の取り出しやすさや脱落しにくさ等を考慮して当該形状を決定しても良い。
【００９８】
さらに上述した第１の実施の形態においては、外蓋１６が取扱説明書６の取り出し方向である右側から孔部２０Ｃを覆うようにした場合について述べたが、本発明はこれに限らず、例えば外蓋１６を透明カバー部２の下側辺や左側辺に設ける等して当該外蓋１６が下側や左側等の他の方向から孔部２０Ｃを覆うようにしても良い。
【００９９】
さらに上述した第１の実施の形態においては、外蓋１６が背面板２０に係止されることにより台紙部３と透明カバー部２とが一体化されるようにした場合について述べたが、本発明はこれに限らず、例えば図１６に示したような係止舌部６２〜６５と同様の係止舌部を外蓋１６以外に設け、これらの組み合わせにより台紙部３と透明カバー部２とを一体化するようにしたり、或いは当該外蓋１６が台紙部３と透明カバー部２との一体化に寄与しないようにしても良い。
【０１００】
さらに上述した第１の実施の形態においては、背面板２０から孔部２０Ｃに突出部２０Ｂを設けるようにした場合について述べたが、本発明はこれに限らず、例えば敢えて外蓋１６を孔部２０Ｃの中に完全に落とし込みたい場合等に、当該突出部２０Ｂを設けないようにしても良い。
【０１０１】
さらに上述した実施の形態においては、左側柱部内面板２２に切欠部２２Ｃが設けられていることにより、中央部３Ｄの内部と左側柱部３Ａの内部とが接続される場合について述べたが、本発明はこれに限らず、例えば当該切欠部２２Ｃを設けず左側柱部内面板２２により中央部３Ｄの内部と左側柱部３Ａ内部とが完全に分離され、収納部３Ｅに収納された取扱説明書６の左端が左側柱部内面板２２（又は中央部左側面板２８Ａ）と当接するようにしても良い。
【０１０２】
この場合、収納部３Ｅの左右方向の長さを調整することができるので、例えば取扱説明書６の左右方向の長さが比較的短い場合等に、当該取扱説明書６の内部に完全に収納されて取り出し難くなることを未然に防止することができる。
【０１０３】
さらに上述した実施の形態においては、包装ケース１（５０）が透明カバー部２（５２）及び台紙部３（５３）の組み合わせにより構成されるようにした場合について述べたが、本発明はこれに限らず、例えば図１７に示すように、１枚の台紙から組み立てられ背面板９２に内蓋９３及び穴部９２Ｃを有する包装ケース９０を構成するようにしたり、或いは３以上の部品の組み合わせにより当該包装ケースを構成するようにしても良い。
【０１０４】
さらに上述した実施の形態においては、透明カバー部２（５２）がポリスチレン樹脂でなり、台紙部３（５３）がボール紙でなるようにした場合について述べたが、本発明はこれに限らず、当該透明カバー部２（５２）がポリ塩化ビニル樹脂やポリエチレンテレフタラート樹脂などの透明な合成樹脂や段ボール等の不透明な材料で構成されるようにしても良く、また当該台紙部３（５３）についても合成樹脂や段ボール等の種々の材料で構成されるようにしても良い。
【０１０５】
さらに上述した実施の形態においては、内蓋３０（８０）が付属品８を中央部前面板２８（７８）との間に挟むことにより、取扱説明書６が取り出される際に、当該付属品８が一緒に取り出されてないようにした場合について述べたが、本発明はこれに限らず、例えば取扱説明書６及び付属品８をいずれも内蓋３０（８０）よりも背面側に収納しておき、当該取扱説明書６及び当該付属品８が敢えて一緒に取り出されるようにしても良い。
【０１０６】
さらに上述した第１及び第２実施の形態においては、取扱説明書６を包装ケース１（５０）の外部へ取り出し、また当該包装ケース１（５０）の内部へ収納するようにした場合について述べたが、本発明はこれに限らず、例えば所定のサービスへの加入申込書や各種付属品等、或いはある程度の厚さを有する磁気カード等の種々の添付品を当該包装ケース１（５０）の外部へ取り出し、また当該包装ケース１（５０）の内部へ収納するようにしても良い。
【０１０７】
さらに上述した実施の形態においては、切込片としての内蓋３０と、非押込部としての周辺部２０Ｆと、取付片としての外蓋１６とによって包装ケースとしての包装ケース１を構成する場合について述べたが、本発明はこれに限らず、その他種々の構成でなる切込片と、非押込部と、取付片とによって包装ケースを構成するようにしても良い。
【産業上の利用可能性】
【０１０８】
本発明は、本来の収納品に加えて取扱説明書等の添付品を収納する種々の包装ケースでも利用できる。
【図面の簡単な説明】
【０１０９】
【図１】第１の実施の形態における包装ケースの外観構成（１）を示す略線的斜視図である。
【図２】第１の実施の形態における包装ケースの外観構成（２）を示す略線的斜視図である。
【図３】第１の実施の形態における透明カバー部の構成を示す略線的三面図である。
【図４】第１の実施の形態における台紙部の組み立て前の状態を示す略線図である。
【図５】第１の実施の形態における台紙部の組み立ての説明に供する略線的斜視図である。
【図６】第１の実施の形態における収納部の構成を示す略線的斜視図である。
【図７】第１の実施の形態における台紙部と透明カバー部との係合の説明に供する略線的斜視図である。
【図８】第１の実施の形態における取扱説明書の収納（１）の説明に供する略線的斜視図及び略線的断面図である。
【図９】第１の実施の形態における取扱説明書の収納（２）の説明に供する略線的斜視図及び略線的断面図である。
【図１０】第１の実施の形態における取扱説明書の収納（３）の説明に供する略線的斜視図及び略線的断面図である。
【図１１】第１の実施の形態における取扱説明書の収納（４）の説明に供する略線的断面図である。
【図１２】第２の実施の形態における包装ケースの外観構成（１）を示す略線的斜視図である。
【図１３】第２の実施の形態における包装ケースの外観構成（２）を示す略線的斜視図である。
【図１４】第２の実施の形態における台紙部の組み立て前の状態を示す略線図である。
【図１５】第２の実施の形態における台紙部の組み立ての説明に供する略線的斜視図である。
【図１６】第２の実施の形態における包装ケースの組み立ての説明に供する略線的斜視図である。
【図１７】他の実施の形態における包装ケースの構成を示す略線的斜視図である。
【符号の説明】
【０１１０】
１、５０、９０……包装ケース、２、５２……透明カバー部、３、５３……台紙部、５、５５……マウス、６……取扱説明書、８……付属品、１０、６０……ベース部、１２、１３……係合爪、１６……外蓋、２０、７０……背面板、２０Ｂ……突出部、２０Ｃ、７０Ｃ……孔部、２０Ｆ、７０Ｆ……周辺部、３０、８０……内蓋。
【図１】
2007069924.tif 000003
【図２】
2007069924.tif 000004
【図３】
2007069924.tif 000005
【図４】
2007069924.tif 000006
【図５】
2007069924.tif 000007
【図６】
2007069924.tif 000008
【図７】
2007069924.tif 000009
【図８】
2007069924.tif 000010
【図９】
2007069924.tif 000011
【図１０】
2007069924.tif 000012
【図１１】
2007069924.tif 000013
【図１２】
2007069924.tif 000014
【図１３】
2007069924.tif 000015
【図１４】
2007069924.tif 000016
【図１５】
2007069924.tif 000017
【図１６】
2007069924.tif 000018
【図１７】
2007069924.tif 000019